(57)【要約】【課題】諸収差を良好に補正して優れた光学性能を達成可能な撮影レンズ系を提供する。【解決手段】撮影レンズ系は、正の第１レンズ群と正の第２レンズ群から構成される。第２レンズ群はフォーカスレンズ群から構成され、且つ／又は、第１レンズ群と第２レンズ群は空気間隔最大の箇所で切り分けられる。さらに次の条件式（１）、（２）を満足する。（１）−２．０＜ｆＬ１／ｆ＜−０．９５（２）１．７＜ＮｄＰ１Ｇｍｉｎ＿νｄ／Ｌ１＿νｄ＜２．５但し、ｆＬ１：第１レンズ群中の最も物体側に位置するレンズの焦点距離、ｆ：全系の焦点距離、ＮｄＰ１Ｇｍｉｎ＿νｄ：第１レンズ群中の屈折率が最も小さい正レンズのｄ線に対するアッベ数、Ｌ１＿νｄ：第１レンズ群中の最も物体側に位置するレンズのｄ線に対するアッベ数。【選択図】図１
2020154060.tif 000002
【特許請求の範囲】
【請求項１】
物体側から順に、正の屈折力の第１レンズ群と、正の屈折力の第２レンズ群とから構成されており、
第２レンズ群は、フォーカシング時に移動するフォーカスレンズ群から構成されており、且つ／又は、第１レンズ群と第２レンズ群は、空気間隔最大の箇所で切り分けられており、
次の条件式（１）、（２）を満足することを特徴とする撮影レンズ系。
（１）−２．０＜ｆＬ１／ｆ＜−０．９５
（２）１．７＜ＮｄＰ１Ｇｍｉｎ＿νｄ／Ｌ１＿νｄ＜２．５
但し、
ｆＬ１：第１レンズ群中の最も物体側に位置するレンズの焦点距離、
ｆ：全系の焦点距離、
ＮｄＰ１Ｇｍｉｎ＿νｄ：第１レンズ群中の屈折率が最も小さい正レンズのｄ線に対するアッベ数、
Ｌ１＿νｄ：第１レンズ群中の最も物体側に位置するレンズのｄ線に対するアッベ数。
【請求項２】
次の条件式（３）を満足することを特徴とする請求項１に記載の撮影レンズ系。
（３）−１．５＜（Ｌ１Ｒ２＋Ｌ１Ｒ１）／（Ｌ１Ｒ２−Ｌ１Ｒ１）＜０．５
但し、
Ｌ１Ｒ１：第１レンズ群中の最も物体側に位置するレンズの物体側の面の曲率半径、
Ｌ１Ｒ２：第１レンズ群中の最も物体側に位置するレンズの像側の面の曲率半径。
【請求項３】
次の条件式（４）を満足することを特徴とする請求項１又は請求項２に記載の撮影レンズ系。
（４）０．３２＜ｆ２Ｇｐ／ｆ１Ｇｐ＜０．５０
但し、
ｆ１Ｇｐ：第１レンズ群の焦点距離、
ｆ２Ｇｐ：第２レンズ群の焦点距離。
【請求項４】
第１レンズ群は、最も物体側に位置する負レンズを有しており、次の条件式（５）を満足することを特徴とする請求項１から請求項３のいずれかに記載の撮影レンズ系。
（５）０．０１＜ＬｎＲ２／ＬｐＲ１＜１．２
但し、
ＬｎＲ２：第１レンズ群中の最も物体側に位置する負レンズの像側の面の曲率半径、
ＬｐＲ１：第１レンズ群中の最も物体側に位置する負レンズの直後に位置するレンズの物体側の面の曲率半径。
【請求項５】
第１レンズ群は、最も物体側に位置する物体側に凹面を向けた負レンズと、該負レンズより像側に位置する少なくとも３枚の正レンズとを有していることを特徴とする請求項１から請求項４のいずれかに記載の撮影レンズ系。
【請求項６】
第１レンズ群は、物体側から順に位置する負レンズと正レンズと正レンズと正レンズの４枚のレンズ、又は、物体側から順に位置する負レンズと正レンズと負レンズと正レンズと正レンズの５枚のレンズから構成されていることを特徴とする請求項１から請求項５のいずれかに記載の撮影レンズ系。
【請求項７】
次の条件式（６）を満足することを特徴とする請求項１から請求項６のいずれかに記載の撮影レンズ系。
（６）１．２５＜Ｎｄ＿１ＧｐＰｍａｘ／Ｎｄ＿１ＧｐＰｍｉｎ
但し、
Ｎｄ＿１ＧｐＰｍａｘ：第１レンズ群中の屈折率が最も大きい正レンズの当該屈折率、
Ｎｄ＿１ＧｐＰｍｉｎ：第１レンズ群中の屈折率が最も小さい正レンズの当該屈折率。
【請求項８】
第２レンズ群は、物体側から順に、正の屈折力の第２ａレンズ群と、開口絞りと、正の屈折力の第２ｂレンズ群とから構成されており、第２ａレンズ群の最も像側のレンズ面は、像側に凹面を向けており、第２ｂレンズ群の最も物体側のレンズ面は、物体側に凹面を向けていることを特徴とする請求項１から請求項７のいずれかに記載の撮影レンズ系。
【請求項９】
次の条件式（７）を満足することを特徴とする請求項８に記載の撮影レンズ系。
（７）１．８０＜Ｎｄ＿２ＢＧｐＰａｖｅ
但し、
Ｎｄ＿２ＢＧｐＰａｖｅ：第２ｂレンズ群中の正レンズの屈折率の平均値。
【請求項１０】
第２ｂレンズ群は、少なくとも１面の非球面を有していることを特徴とする請求項８又は請求項９に記載の撮影レンズ系。
【請求項１１】
第２ａレンズ群は、物体側から順に位置する正レンズと正レンズと負レンズの３枚のレンズから構成されており、第２ｂレンズ群は、物体側から順に位置する負レンズと正レンズと負レンズと正レンズの４枚のレンズ、又は、物体側から順に位置する負レンズと正レンズと負レンズと正レンズと正レンズの５枚のレンズから構成されていることを特徴とする請求項８から請求項１０のいずれかに記載の撮影レンズ系。
【請求項１２】
次の条件式（８）を満足することを特徴とする請求項１から請求項１１のいずれかに記載の撮影レンズ系。
（８）０．１３＜ＤＧ１−Ｇ２／ＴＬ＜０．１８
但し、
ＤＧ１−Ｇ２：第１レンズ群の最も像側の面と第２レンズ群の最も物体側の面の間の距離、
ＴＬ：第１レンズ群の最も物体側の面と像面の間の距離。
【請求項１３】
フォーカシング時において、第１レンズ群が像面に対して固定されるとともに、第２レンズ群が物体側に移動することを特徴とする請求項１から請求項１２のいずれかに記載の撮影レンズ系。
【請求項１４】
フォーカシング時において、第１レンズ群と第２レンズ群は、異なる移動量で物体側に移動することを特徴とする請求項１から請求項１２のいずれかに記載の撮影レンズ系。
【請求項１５】
フォーカシング時において、第１レンズ群が像側に移動するとともに、第２レンズ群が物体側に移動することを特徴とする請求項１から請求項１０のいずれかに記載の撮影レンズ系。
【請求項１６】
第２レンズ群は、光軸直交成分を含む方向に移動して結像位置を変位させることにより像振れを補正する像振れ補正レンズ群を有していることを特徴とする請求項１から請求項１５のいずれかに記載の撮影レンズ系。
【発明の詳細な説明】
【技術分野】
【０００１】
本発明は、撮影レンズ系（単焦点レンズ系）、例えば、デジタルカメラ等の撮像機器に最適な大口径中望遠レンズ系に関する。
【背景技術】
【０００２】
近年、デジタル一眼レフカメラは、撮像素子の高画素化に伴い、撮影距離の全域に亘り解像感が高く、像の平坦性の高い光学系が求められている。また、合焦部分の前後のボケを活かす画像を得るためにＦ値の小さな大口径レンズに対しても高性能化が図られている。
【０００３】
これらの要望に対応するためには色収差や像面湾曲の改善が必要となる。色収差については、近年は画像処理により、カメラ内部やパソコンソフトによる画像処理の後処理で色収差の修正が可能となっているが、より解像感の高い光学性能を得るには、光学系の色収差を十分に低減することが必要になる。また、像面湾曲については画像処理による後処理では修正出来ない収差である。
【０００４】
特にＦ値の小さな大口径レンズで焦点距離がやや長い中望遠レンズ系では、色収差、球面収差、像面湾曲等の諸収差を良好に補正しないと、画面全体にわたり高い光学性能を得ることが困難となる。
【先行技術文献】
【特許文献】
【０００５】
【特許文献１】特開２０１１−１０７４５０号公報
【特許文献２】特開２０１８−００５０９９号公報
【特許文献３】特開２０１６−１５１６６１号公報
【発明の概要】
【発明が解決しようとする課題】
【０００６】
特許文献１、２、３には、Ｆ値が１．４程度である撮像レンズ、大口径レンズ、光学系が開示されている。しかしながら、色収差や像面湾曲等の諸収差の補正が十分ではなく、より高画素なデジタル一眼レフカメラ用の大口径レンズ系としては、良好な光学性能を達成できていないという問題があった。
【０００７】
本発明は、以上の問題意識に基づいて完成されたものであり、諸収差を良好に補正して優れた光学性能を達成可能な撮影レンズ系を提供することを目的とする。
【課題を解決するための手段】
【０００８】
本実施形態の撮影レンズ系は、物体側から順に、正の屈折力の第１レンズ群と、正の屈折力の第２レンズ群とから構成されており、第２レンズ群は、フォーカシング時に移動するフォーカスレンズ群から構成されており、且つ／又は、第１レンズ群と第２レンズ群は、空気間隔最大の箇所で切り分けられており、次の条件式（１）、（２）を満足することを特徴としている。
（１）−２．０＜ｆＬ１／ｆ＜−０．９５
（２）１．７＜ＮｄＰ１Ｇｍｉｎ＿νｄ／Ｌ１＿νｄ＜２．５
但し、
ｆＬ１：第１レンズ群中の最も物体側に位置するレンズの焦点距離、
ｆ：全系の焦点距離、
ＮｄＰ１Ｇｍｉｎ＿νｄ：第１レンズ群中の屈折率が最も小さい正レンズのｄ線に対するアッベ数、
Ｌ１＿νｄ：第１レンズ群中の最も物体側に位置するレンズのｄ線に対するアッベ数、
である。
【０００９】
本実施形態の撮影レンズ系は、次の条件式（３）を満足することができる。
（３）−１．５＜（Ｌ１Ｒ２＋Ｌ１Ｒ１）／（Ｌ１Ｒ２−Ｌ１Ｒ１）＜０．５
但し、
Ｌ１Ｒ１：第１レンズ群中の最も物体側に位置するレンズの物体側の面の曲率半径、
Ｌ１Ｒ２：第１レンズ群中の最も物体側に位置するレンズの像側の面の曲率半径、
である。
【００１０】
条件式（３）の条件式範囲内でも、特に、次の条件式（３’）を満足することが好ましい。
（３’）−１．３＜（Ｌ１Ｒ２＋Ｌ１Ｒ１）／（Ｌ１Ｒ２−Ｌ１Ｒ１）＜０．５
【００１１】
条件式（３）の条件式範囲内でも、特に、次の条件式（３”）を満足することが好ましい。
（３”）−０．５＜（Ｌ１Ｒ２＋Ｌ１Ｒ１）／（Ｌ１Ｒ２−Ｌ１Ｒ１）＜０．５
【００１２】
本実施形態の撮影レンズ系は、次の条件式（４）を満足することができる。
（４）０．３２＜ｆ２Ｇｐ／ｆ１Ｇｐ＜０．５０
但し、
ｆ１Ｇｐ：第１レンズ群の焦点距離、
ｆ２Ｇｐ：第２レンズ群の焦点距離、
である。
【００１３】
第１レンズ群は、最も物体側に位置する負レンズを有しており、次の条件式（５）を満足することができる。
（５）０．０１＜ＬｎＲ２／ＬｐＲ１＜１．２
但し、
ＬｎＲ２：第１レンズ群中の最も物体側に位置する負レンズの像側の面の曲率半径、
ＬｐＲ１：第１レンズ群中の最も物体側に位置する負レンズの直後に位置するレンズの物体側の面の曲率半径、
である。
【００１４】
条件式（５）の条件式範囲内でも、特に、次の条件式（５’）を満足することが好ましい。
（５’）０．３＜ＬｎＲ２／ＬｐＲ１＜１．２
【００１５】
第１レンズ群は、最も物体側に位置する物体側に凹面を向けた負レンズと、該負レンズより像側に位置する少なくとも３枚の正レンズとを有していてもよい。
【００１６】
第１レンズ群は、物体側から順に位置する負レンズと正レンズと正レンズと正レンズの４枚のレンズ、又は、物体側から順に位置する負レンズと正レンズと負レンズと正レンズと正レンズの５枚のレンズから構成されていてもよい。
【００１７】
本実施形態の撮影レンズ系は、次の条件式（６）を満足することができる。
（６）１．２５＜Ｎｄ＿１ＧｐＰｍａｘ／Ｎｄ＿１ＧｐＰｍｉｎ
但し、
Ｎｄ＿１ＧｐＰｍａｘ：第１レンズ群中の屈折率が最も大きい正レンズの当該屈折率、
Ｎｄ＿１ＧｐＰｍｉｎ：第１レンズ群中の屈折率が最も小さい正レンズの当該屈折率、
である。
【００１８】
第２レンズ群は、物体側から順に、正の屈折力の第２ａレンズ群と、開口絞りと、正の屈折力の第２ｂレンズ群とから構成されており、第２ａレンズ群の最も像側のレンズ面は、像側に凹面を向けており、第２ｂレンズ群の最も物体側のレンズ面は、物体側に凹面を向けていてもよい。
【００１９】
本実施形態の撮影レンズ系は、次の条件式（７）を満足することができる。
（７）１．８０＜Ｎｄ＿２ＢＧｐＰａｖｅ
但し、
Ｎｄ＿２ＢＧｐＰａｖｅ：第２ｂレンズ群中の正レンズの屈折率の平均値、
である。
【００２０】
第２ｂレンズ群は、少なくとも１面の非球面を有していてもよい。
【００２１】
第２ａレンズ群は、物体側から順に位置する正レンズと正レンズと負レンズの３枚のレンズから構成されており、第２ｂレンズ群は、物体側から順に位置する負レンズと正レンズと負レンズと正レンズの４枚のレンズ、又は、物体側から順に位置する負レンズと正レンズと負レンズと正レンズと正レンズの５枚のレンズから構成されていてもよい。
【００２２】
本実施形態の撮影レンズ系は、次の条件式（８）を満足することができる。
（８）０．１３＜ＤＧ１−Ｇ２／ＴＬ＜０．１８
但し、
ＤＧ１−Ｇ２：第１レンズ群の最も像側の面と第２レンズ群の最も物体側の面の間の距離、
ＴＬ：第１レンズ群の最も物体側の面と像面の間の距離、
である。
【００２３】
フォーカシング時において、第１レンズ群が像面に対して固定されるとともに、第２レンズ群が物体側に移動してもよい。
【００２４】
フォーカシング時において、第１レンズ群と第２レンズ群は、異なる移動量で物体側に移動してもよい。
【００２５】
フォーカシング時において、第１レンズ群が像側に移動するとともに、第２レンズ群が物体側に移動してもよい。
【００２６】
第２レンズ群は、光軸直交成分を含む方向に移動して結像位置を変位させることにより像振れを補正する像振れ補正レンズ群を有していてもよい。
【発明の効果】
【００２７】
本発明によれば、諸収差を良好に補正して優れた光学性能を達成可能な撮影レンズ系を提供することができる。
【図面の簡単な説明】
【００２８】
【図１】数値実施例１による撮影レンズ系の無限遠物体合焦時のレンズ構成図である。
【図２】図１の構成による諸収差図である。
【図３】図１の構成による横収差図である。
【図４】数値実施例２による撮影レンズ系の無限遠物体合焦時のレンズ構成図である。
【図５】図４の構成による諸収差図である。
【図６】図４の構成による横収差図である。
【図７】数値実施例３による撮影レンズ系の無限遠物体合焦時のレンズ構成図である。
【図８】図７の構成による諸収差図である。
【図９】図７の構成による横収差図である。
【図１０】数値実施例４による撮影レンズ系の無限遠物体合焦時のレンズ構成図である。
【図１１】図１０の構成による諸収差図である。
【図１２】図１０の構成による横収差図である。
【図１３】数値実施例５による撮影レンズ系の無限遠物体合焦時のレンズ構成図である。
【図１４】図１３の構成による諸収差図である。
【図１５】図１３の構成による横収差図である。
【図１６】数値実施例６による撮影レンズ系の無限遠物体合焦時のレンズ構成図である。
【図１７】図１６の構成による諸収差図である。
【図１８】図１６の構成による横収差図である。
【図１９】数値実施例７による撮影レンズ系の無限遠物体合焦時のレンズ構成図である。
【図２０】図１９の構成による諸収差図である。
【図２１】図１９の構成による横収差図である。
【図２２】数値実施例８による撮影レンズ系の無限遠物体合焦時のレンズ構成図である。
【図２３】図２２の構成による諸収差図である。
【図２４】図２２の構成による横収差図である。
【図２５】数値実施例９による撮影レンズ系の無限遠物体合焦時のレンズ構成図である。
【図２６】図２５の構成による諸収差図である。
【図２７】図２５の構成による横収差図である。
【図２８】数値実施例１０による撮影レンズ系の無限遠物体合焦時のレンズ構成図である。
【図２９】図２８の構成による諸収差図である。
【図３０】図２８の構成による横収差図である。
【図３１】数値実施例１１による撮影レンズ系の無限遠物体合焦時のレンズ構成図である。
【図３２】図３１の構成による諸収差図である。
【図３３】図３１の構成による横収差図である。
【発明を実施するための形態】
【００２９】
本実施形態の撮影レンズ系（単焦点レンズ系）は、物体側から順に、正の屈折力の第１レンズ群Ｇ１と、正の屈折力の第２レンズ群Ｇ２とから構成されている。第２レンズ群Ｇ２と像面Ｉとの間（像面Ｉの直前位置）には、カバーガラスＣＧが設けられている。カバーガラスＣＧは、光学フィルタの機能を有していてもよい。
【００３０】
第１レンズ群Ｇ１と第２レンズ群Ｇ２は、次の（Ｘ）と（Ｙ）の少なくとも一方の基準によって切り分けられる（レンズ群の境界が規定される）。
（Ｘ）第２レンズ群Ｇ２は、フォーカシング時に移動するフォーカスレンズ群から構成されており、この点によって第１レンズ群Ｇ１と第２レンズ群Ｇ２が切り分けられる。より具体的に、第２レンズ群Ｇ２は、被写体距離が無限遠から近接に変化するフォーカシングに際して、像側から物体側に移動する。第１レンズ群Ｇ１の挙動も含めたフォーカシング動作は、次の（Ｘ−１）、（Ｘ−２）、（Ｘ−３）の通りである。
（Ｘ−１）フォーカシング時において、第１レンズ群Ｇ１が像面Ｉに対して固定されるとともに、第２レンズ群Ｇ２が物体側に移動する「リアフォーカス方式」である。
（Ｘ−２）フォーカシング時において、第１レンズ群Ｇ１と第２レンズ群Ｇ２が異なる移動量で物体側に移動する「フローティングフォーカス方式」である。この場合、第１レンズ群Ｇ１と第２レンズ群Ｇ２の移動量には自由度がある（どちらの移動量が大きくても小さくてもよい）。
（Ｘ−３）フォーカシング時において、第１レンズ群Ｇ１が像側に移動するとともに、第２レンズ群Ｇ２が物体側に移動する「フローティングフォーカス方式」である。この場合、第１レンズ群Ｇ１と第２レンズ群Ｇ２の移動量には自由度がある（どちらの移動量が大きくても小さくてもよいし、移動量が同じであってもよい）。フォーカシング時に第１レンズ群Ｇ１が像側に移動することにより、像面湾曲の補正効果が得られる。
（Ｙ）第１レンズ群Ｇ１と第２レンズ群Ｇ２は、空気間隔最大の箇所で切り分けられる。
【００３１】
第１レンズ群Ｇ１は、数値実施例１−１０では、物体側から順に位置する負レンズ１１と正レンズ１２と正レンズ１３と正レンズ１４の４枚のレンズから構成されている。
第１レンズ群Ｇ１は、数値実施例１１では、物体側から順に位置する負レンズ１１’と正レンズ１２’と負レンズ１３’と正レンズ１４’と正レンズ１５’の５枚のレンズから構成されている。
第１レンズ群Ｇ１中の最も物体側に位置する負レンズ（１１又は１１’）は、物体側に凹面を向けている。
第１レンズ群Ｇ１は、最も物体側に位置する物体側に凹面を向けた負レンズ（１１又は１１’）と、該負レンズ（１１又は１１’）より像側に位置する少なくとも３枚の正レンズ（正レンズ１２と正レンズ１３と正レンズ１４又は正レンズ１２’と正レンズ１４’と正レンズ１５’）とを有していればよい。
【００３２】
第２レンズ群Ｇ２は、物体側から順に、正の屈折力の第２ａレンズ群Ｇ２ａと、開口絞りＳと、正の屈折力の第２ｂレンズ群Ｇ２ｂとから構成されている。
第２ａレンズ群Ｇ２ａは、数値実施例１−１１を通じて、物体側から順に位置する正レンズ２１と正レンズ２２と負レンズ２３の３枚のレンズから構成されている。
第２ｂレンズ群Ｇ２ｂは、数値実施例１、２、８、１１では、物体側から順に位置する負レンズ２４と正レンズ２５と負レンズ２６と正レンズ２７の４枚のレンズから構成されている。
第２ｂレンズ群Ｇ２ｂは、数値実施例３−７、９、１０では、物体側から順に位置する負レンズ２４’と正レンズ２５’と負レンズ２６’と正レンズ２７’と正レンズ２８’の５枚のレンズから構成されている。
第２ｂレンズ群Ｇ２ｂ中の最も像側の正レンズ（２７又は２８’）は、その両面に非球面を有している。なお、第２ｂレンズ群Ｇ２ｂ中の最も像側の正レンズ（２７又は２８’）のいずれか一方の面だけに非球面を形成してもよいし、第２ｂレンズ群Ｇ２ｂ中の他のレンズに非球面を形成してもよい。すなわち、第２ｂレンズ群Ｇ２ｂは、全体として、少なくとも１面の非球面を有していればよい。
第２ａレンズ群Ｇ２ａの最も像側のレンズ面（負レンズ２３の像側の面）は、像側に凹面を向けており、第２ｂレンズ群Ｇ２ｂの最も物体側のレンズ面（負レンズ２４又は負レンズ２４’の物体側の面）は、物体側に凹面を向けており、両者の間に、両凸形状の空気レンズが形成されたダブルガウス系の構成をなしている。このダブルガウス系の構成は、大口径レンズ系においてよく用いられる。
第２レンズ群Ｇ２は、光軸直交成分を含む方向に移動して結像位置を変位させることにより像振れを補正する像振れ補正レンズ群を有していてもよい（第２レンズ群Ｇ２の少なくとも１枚のレンズが像振れ補正レンズ群を構成してもよい）。
【００３３】
本実施形態の撮影レンズ系（単焦点レンズ系）は、大口径中望遠レンズでありながら、撮影距離全域で球面収差、コマ収差、非点収差等の諸収差を良好に補正するとともに、特に色収差を良好に補正することができる。また、像面湾曲をバランス良く補正し、像の平坦性に優れた良好な光学性能を達成することができる。
【００３４】
第１レンズ群Ｇ１の最も物体側には、物体側に凹面を向けた負レンズ（１１又は１１’）が配置され、色収差を補正するために、第１レンズ群Ｇ１中で後続する正レンズ（１２と１３と１４又は１２’と１４’と１５’）は、比較的アッベ数の大きい硝材で構成される。
一般的に、アッベ数が７０以上の低分散硝材は正の異常分散性をもつため軸上色収差を良好に補正できるが、屈折率が１．４〜１．５程度と低いため、所望の屈折力を得るためにはレンズ面（屈折面）の曲率を強くしなければならず、その結果、球面収差や像面湾曲が発生しやすくなる。
画面全体にわたり高い光学性能を得るには、硝材を適切に選定し色収差の補正とともに球面収差や像面湾曲等の諸収差を同時に良好に補正することが必要となる。そのため、光学系内の正レンズは正の異常分散性のある硝材と屈折率の高い硝材とをバランスよく配置する必要がある。
本実施形態のように、第１レンズ群Ｇ１の正レンズを３枚以上で構成して、その中に、屈折力の高い正レンズと、異常分散性のある屈折率の低い正レンズとを含ませることで、色収差、球面収差、像面湾曲等の諸収差を良好に補正することができる。
【００３５】
第２ａレンズ群Ｇ２ａは、物体側から順に位置する正レンズ２１と正レンズ２２と負レンズ２３の３枚のレンズから構成されている。第２ａレンズ群Ｇ２ａ中の正レンズにアッベ数が７０以上の低分散硝材を含ませることにより、軸上色収差を補正することができる。
第２ｂレンズ群Ｇ２ｂ中の正レンズとして、屈折率の平均が１．８以上の正レンズを使用することで、撮影距離全域で像面湾曲を補正することができる。
また、第２ｂレンズ群Ｇ２ｂ中に少なくとも１面の非球面を形成することで、球面収差や非点収差等の諸収差を抑制することがでる。非球面を形成しない場合、非点収差（隔差）を補正すると、画面全域にわたって像面湾曲が発生して、像の平坦性を保つことが困難となる。
【００３６】
条件式（１）は、第１レンズ群Ｇ１中の最も物体側に位置するレンズ（１１又は１１’）の焦点距離と、全系の焦点距離との比を規定している。条件式（１）を満足することで、歪曲収差、倍率色収差、軸上色収差、像面湾曲等の諸収差を良好に補正して、優れた光学性能を得ると共に、レンズ全長を短くすることができる。
条件式（１）の上限を超えると、第１レンズ群Ｇ１中の最も物体側に位置する負レンズ（１１又は１１’）の屈折力（パワー）が強くなりすぎて、負の歪曲が大きく発生して補正困難となってしまう。面の屈折力が強くなり過ぎると倍率色収差も悪化し、光学系全体で収差補正のバランスをとることが困難となってしまう。また、レンズ全長が大きくなってしまう。
条件式（１）の下限を超えると、第１レンズ群Ｇ１中の最も物体側に位置する負レンズ（１１又は１１’）の屈折力（パワー）が弱くなりすぎて、軸上色収差を良好に補正することが困難になってしまう。また、負の屈折力が弱まることでペッツバール和の補正を適切に行うことが困難となり、像面湾曲補正が悪化してしまう。
【００３７】
条件式（２）は、第１レンズ群Ｇ１中の屈折率が最も小さい正レンズ（１２若しくは１４又は１４’若しくは１５’）のｄ線に対するアッベ数と、第１レンズ群Ｇ１中の最も物体側に位置するレンズ（１１又は１１’）のｄ線に対するアッベ数との比を規定している。条件式（２）を満足することで、色収差を良好に補正して、優れた光学性能を得ることができる。
条件式（２）の上限を超えると、第１レンズ群Ｇ１中の最も物体側に位置するレンズ（１１又は１１’）の負の異常分散性が弱くなる結果、色収差補正が困難となってしまう。
条件式（２）の下限を超えると、第１レンズ群Ｇ１中の正レンズによる正の異常分散性が弱くなる結果、色収差補正が困難となってしまう。
【００３８】
条件式（３）、（３’）、（３”）は、第１レンズ群Ｇ１中の最も物体側に位置するレンズ（１１又は１１’）の形状（シェーピングファクタ）を規定している。第１レンズ群Ｇ１中の最も物体側に位置するレンズ（１１又は１１’）の屈折力が同程度であっても、球面収差やコマ収差と、像面湾曲や非点収差等の像の平坦性に関わる収差とを適切に両立（バランス）するためには、当該レンズの形状に配慮する必要がある。条件式（３）を満足することで、球面収差、コマ収差、非点収差、歪曲収差等の諸収差を良好に補正することができる。また、球面収差やコマ収差と、像面湾曲や非点収差等の像の平坦性に関わる収差とを適切に両立（バランス）することができる。この作用効果は、条件式（３’）を満足することで顕著に発揮され、条件式（３”）を満足することでより顕著に発揮される。
条件式（３）、（３’）、（３”）の上限を超えると、第１レンズ群Ｇ１中の最も物体側に位置するレンズ（１１又は１１’）の像側の面の負の屈折力が弱くなりすぎて、球面収差、コマ収差、非点収差等の諸収差の補正が困難となってしまう。
条件式（３）の下限を超えると、第１レンズ群Ｇ１中の最も物体側に位置するレンズ（１１又は１１’）の像側の面の負の屈折力が強くなりすぎて、負の歪曲収差が悪化してしまう。また、球面収差やコマ収差と、像面湾曲や非点収差等の像の平坦性に関わる収差とを適切に両立（バランス）することが困難となってしまう。
【００３９】
条件式（４）は、第１レンズ群Ｇ１の焦点距離と、第２レンズ群Ｇ２の焦点距離との比を規定している。条件式（４）は、例えば、交換レンズ（バックフォーカスの確保が要求されるデジタル一眼レフカメラ）に搭載した場合の好適化を図るためのものである。条件式（４）を満足することで、長めのバックフォーカスを確保するとともに、球面収差、コマ収差、非点収差等の諸収差を良好に補正することができる。また、全系のＦナンバーを維持しながら大型化を防ぎ、且つ、第２レンズ群Ｇ２による合焦の高速化を図ることができる。
条件式（４）の上限を超えると、第１レンズ群Ｇ１の屈折力（パワー）が強くなりすぎて、球面収差、コマ収差、非点収差等の諸収差の補正が困難になってしまう。また、バックフォーカスの確保が困難になってしまう。
条件式（４）の下限を超えると、第２レンズ群Ｇ２の屈折力（パワー）が弱くなりすぎて、全系のＦナンバーを維持するためには、第２レンズ群Ｇ２を構成するレンズ及び開口絞りの口径を大きくする必要があるために大型化を招いてしまう。また、口径が大きくなることでレンズ重量が増加し、第２レンズ群Ｇ２による合焦の高速化に不利になってしまう。
【００４０】
上述したように、第１レンズ群Ｇ１は、最も物体側に位置する負レンズ（１１又は１１’）を有している。条件式（５）、（５’）は、第１レンズ群Ｇ１中の最も物体側に位置する負レンズ（１１又は１１’）の像側の面の曲率半径と、第１レンズ群Ｇ１中の最も物体側に位置する負レンズ（１１又は１１’）の直後に位置するレンズ（１２又は１２’）の物体側の面の曲率半径との関係（両レンズの間に形成される空気レンズの形状（シェーピングファクター））を規定している。条件式（５）を満足することで、球面収差、コマ収差、非点収差、歪曲収差、軸上色収差等の諸収差を良好に補正することができる。特に、第１レンズ群Ｇ１が主導で諸収差を補正すると、第２レンズ群Ｇ２による収差補正の負担を低減することができる。また、条件式（５）を満足することで、光学系の小型化を図ると共に、デジタル一眼レフカメラに適した長めのバックフォーカスを確保することができる。
条件式（５）、（５’）の上限を超えると、第１レンズ群Ｇ１中の最も物体側に位置する負レンズ（１１又は１１’）の像側の面の負の屈折力（パワー）が強くなりすぎて、球面収差、コマ収差、非点収差等が増大してしまう。また、発散が大きくなりすぎて、光学系の大型化を招いてしまう。
条件式（５）の下限を超えると、第１レンズ群Ｇ１中の最も物体側に位置する負レンズ（１１又は１１’）の像側の面の負の屈折力（パワー）が弱くなりすぎて、軸上色収差の補正が困難になってしまう。また、デジタル一眼レフカメラに適した長めのバックフォーカスの確保が困難になってしまう。
【００４１】
条件式（６）は、第１レンズ群Ｇ１中の屈折率が最も大きい正レンズ（１３又は１２’）の当該屈折率と、第１レンズ群Ｇ１中の屈折率が最も小さい正レンズ（１２若しくは１４又は１４’若しくは１５’）の当該屈折率との比を規定している。条件式（６）を満足することで、ペッツバール和を適切に補正するとともに、球面収差、コマ収差、非点収差、像面湾曲等を良好に補正することができる。
条件式（６）の下限を超えると、第１レンズ群Ｇ１内の正レンズの屈折率が全体的に低くなりすぎて、ペッツバール和を適切に補正できず、球面収差、コマ収差、非点収差、像面湾曲等が悪化してしまう。
【００４２】
条件式（７）は、第２ｂレンズ群Ｇ２中の正レンズ（２５と２７又は２５’と２７’と２８’）の屈折率の平均値を規定している。軸上色収差をより良く補正するためには、一般にアッベ数が７０以上の正の異常分散性をもつ硝材を用いると良好に補正できる。一方、そのような硝材は、屈折率が１．４〜１．５程度と低い。そのため、所望の屈折力を得るためにはレンズ面（屈折面）の曲率を強くしなければならず、その結果、球面収差や像面湾曲が発生しやすくなる。軸上色収差補正と像面湾曲補正を両立させるために正レンズに用いる硝材の屈折率を適切に配置する必要があり、条件式（７）を満足するように、第２ｂレンズ群Ｇ２中の正レンズの屈折率の平均値が１．８以上となるような硝材を用いると、ペッツバール和の補正を適切に行って、像面湾曲補正と軸上色収差補正を両立して好適に行うことが可能になる。
条件式（７）の下限を超えると、球面収差、像面湾曲、軸上色収差の補正が困難になり、光学性能が劣化してしまう。
【００４３】
条件式（８）は、第１レンズ群Ｇ１の最も像側の面と第２レンズ群Ｇ２の最も物体側の面の間の距離（第１レンズ群Ｇ１と第２レンズ群Ｇ２のレンズ群間隔）と、第１レンズ群Ｇ１の最も物体側の面と像面Ｉの間の距離との比を規定している。条件式（８）を満足することで、周辺光量が周辺部で急激に減るのを防止するとともに、レンズ小型化や重量低減を図ることができる。また、撮影距離による収差変化を抑制することができる。さらに、バックフォーカスを適切に保ちつつ、フォーカスレンズ群の重量低減を図ることができる。
条件式（８）の上限を超えると、周辺光量が周辺部で急激に減らないように維持するために、第１レンズ群Ｇ１のレンズ径を大きくする必要があり、レンズ大型化や重量増加を招いてしまう。
条件式（８）の下限を超えると、第２レンズ群Ｇ２の少なくとも一部をフォーカスレンズ群とした場合に、当該フォーカスレンズ群のパワーが強くなりすぎて、撮影距離による収差変化が大きくなってしまう。また、バックフォーカスを適切に保つためには第２ｂレンズ群Ｇ２ｂの前方で負の屈折力が必要になるとともに、第２ｂレンズ群Ｇ２ｂの口径が大きくなることでフォーカスレンズ群の重量増加を招いてしまう。
【００４４】
［数値実施例］
次に具体的な数値実施例１−１１を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fBはバックフォーカス、Lはレンズ全長、rは曲率半径、ｄはレンズ厚またはレンズ間隔、N(d)はｄ線に対する屈折率、ν(d)はｄ線に対するアッベ数、「E-a」は「×10-a」を意味する。長さの単位は[mm]である。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【００４５】
［数値実施例１］
図１〜図３と表１〜表３は、数値実施例１による撮影レンズ系（単焦点レンズ系）を示している。図１は無限遠物体合焦時のレンズ構成図、図２はその諸収差図、図３はその横収差図である。表１は面データ、表２は非球面データ、表３は各種データである。
【００４６】
数値実施例１の撮影レンズ系は、物体側から順に、正の屈折力の第１レンズ群Ｇ１と、正の屈折力の第２レンズ群Ｇ２とから構成されている。第２レンズ群Ｇ２と像面Ｉとの間（像面Ｉの直前位置）には、カバーガラスＣＧが設けられている。カバーガラスＣＧは、光学フィルタの機能を有していてもよい。
【００４７】
第１レンズ群Ｇ１は、物体側から順に、両凹負レンズ１１と、物体側に凸の正メニスカスレンズ１２と、物体側に凸の正メニスカスレンズ１３と、両凸正レンズ１４とから構成されている。
【００４８】
第２レンズ群Ｇ２は、物体側から順に、正の屈折力の第２ａレンズ群Ｇ２ａと、開口絞りＳと、正の屈折力の第２ｂレンズ群Ｇ２ｂとから構成されている。
【００４９】
第２ａレンズ群Ｇ２ａは、物体側から順に、物体側に凸の正メニスカスレンズ２１と、物体側に凸の正メニスカスレンズ２２と、物体側に凸の負メニスカスレンズ２３とから構成されている。
【００５０】
第２ｂレンズ群Ｇ２ｂは、物体側から順に、両凹負レンズ２４と、両凸正レンズ２５と、像側に凸の負メニスカスレンズ２６と、両凸正レンズ２７とから構成されている。両凹負レンズ２４と両凸正レンズ２５と負メニスカスレンズ２６は、接合されている。両凸正レンズ２７は、その両面に非球面を有している。
【００５１】
（表１）
面データ
面番号             r             d             N(d)             ν(d)
1             -147.744         3.00         1.61340             44.3
2              111.331         1.50
3              117.598         7.46         1.43875             95.0
4             1219.409         2.00
5              210.888         6.26         1.89190             37.1
6             1594.059         0.50
7               96.924        10.45         1.43875             95.0
8             -302.032        26.68
9               50.644         7.51         1.87070             40.7
10             107.717         0.30
11              34.996        10.97         1.43875             95.0
12             221.948         1.30
13             259.438         3.06         1.67300             38.3
14              22.654         8.88
15絞          INFINITY         5.12
16             -38.068         1.30         1.64769             33.8
17              29.772        12.73         1.87070             40.7
18             -50.288         2.00         1.59270             35.3
19            -131.642         0.26
20*            281.928         3.86         1.76450             49.1
21*            -91.708        37.97
22            INFINITY         2.00         1.51633             64.1
23            INFINITY           -
＊は回転対称非球面である。
（表２）
非球面データ
面番号  K        A4           A6             A8           A10           A12
20  0.000  -0.1227E-05   -0.4331E-08   -0.9893E-12    0.9429E-14   -0.9391E-17
21  0.000   0.1030E-05   -0.4435E-08    0.3861E-11    0.5680E-14    0.0000E+00
（表３）
各種データ
FNO.        1.46
f          83.33
W           14.5
Y          21.64
fB          0.50
L         155.61
【００５２】
［数値実施例２］
図４〜図６と表４〜表６は、数値実施例２による撮影レンズ系（単焦点レンズ系）を示している。図４は無限遠物体合焦時のレンズ構成図、図５はその諸収差図、図６はその横収差図である。表４は面データ、表５は非球面データ、表６は各種データである。
【００５３】
数値実施例２の撮影レンズ系のレンズ構成は、数値実施例１の撮影レンズ系のレンズ構成と同様である。
【００５４】
（表４）
面データ
面番号             r             d             N(d)             ν(d)
1             -143.184         3.00         1.56732             42.8
2              101.361         1.53
3              106.983         8.95         1.43875             95.0
4              806.223         2.83
5              225.248         4.81         1.95375             32.3
6              792.108         0.50
7               96.169        10.83         1.43875             95.0
8             -270.740        23.60
9               50.974         7.99         1.88300             40.8
10             112.036         0.30
11              35.626        11.15         1.43875             95.0
12             227.304         1.13
13             268.804         3.12         1.67300             38.3
14              22.716         9.42
15絞          INFINITY         5.70
16             -38.353         1.30         1.64769             33.8
17              32.259        13.18         1.88300             40.8
18             -60.377         2.00         1.59270             35.3
19            -128.239         0.39
20*            331.687         4.04         1.72903             54.0
21*            -78.431        37.97
22            INFINITY         2.00         1.51633             64.1
23            INFINITY           -
＊は回転対称非球面である。
（表５）
非球面データ
面番号  K        A4           A6             A8           A10           A12
20  0.000  -0.1321E-05  -0.4141E-08    0.3165E-11    0.4443E-14   -0.1468E-16
21  0.000   0.8709E-06  -0.5206E-08    0.1132E-10   -0.9868E-14    0.0000E+00
（表６）
各種データ
FNO.        1.46
f          83.33
W           14.5
Y          21.64
fB          0.50
L         156.26
【００５５】
［数値実施例３］
図７〜図９と表７〜表９は、数値実施例３による撮影レンズ系（単焦点レンズ系）を示している。図７は無限遠物体合焦時のレンズ構成図、図８はその諸収差図、図９はその横収差図である。表７は面データ、表８は非球面データ、表９は各種データである。
【００５６】
数値実施例３の撮影レンズ系のレンズ構成は、以下の点を除いて、数値実施例１の撮影レンズ系のレンズ構成と同様である。
（Ａ）第１レンズ群Ｇ１の正レンズ１２が、両凸正レンズから構成されている。
（Ｂ）第２ｂレンズ群Ｇ２ｂが、物体側から順に、両凹負レンズ２４’と、両凸正レンズ２５’と、両凹負レンズ２６’と、両凸正レンズ２７’と、両凸正レンズ２８’とから構成されている。両凹負レンズ２４’と両凸正レンズ２５’は接合されており、両凹負レンズ２６’と両凸正レンズ２７’は接合されている。両凸正レンズ２８’ は、その両面に非球面を有している。
【００５７】
（表７）
面データ
面番号             r             d             N(d)             ν(d)
1             -189.565         3.00         1.61340             44.3
2              122.530         1.01
3              100.426        10.60         1.43875             95.0
4            -1550.216         3.14
5              200.965         5.07         1.88300             40.8
6              637.929         0.50
7              106.673         8.51         1.43875             95.0
8            -2149.801        23.43
9               46.311         7.31         1.87070             40.7
10              93.871         0.30
11              37.788        10.88         1.43875             95.0
12             213.732         0.93
13             238.884         2.50         1.67300             38.3
14              22.724         8.90
15絞          INFINITY         4.81
16             -42.077         1.30         1.67300             38.3
17              29.272         8.62         1.89190             37.1
18             -74.730         1.44
19             -48.210         1.30         1.73800             32.3
20              34.393         8.38         1.83481             42.7
21             -63.703         0.25
22*            206.484         3.46         1.69350             53.2
23*           -144.341        38.06
24            INFINITY         2.00         1.51633             64.1
25            INFINITY           -
＊は回転対称非球面である。
（表８）
非球面データ
面番号  K        A4           A6             A8           A10           A12
22  0.000  -0.1010E-05  -0.7022E-08     0.7043E-11   -0.5523E-14   -0.4109E-17
23  0.000   0.1762E-05  -0.6400E-08     0.1058E-10   -0.6034E-14    0.0000E+00
（表９）
各種データ
FNO.        1.46
f          83.42
W           14.5
Y          21.64
fB          0.50
L         156.20
【００５８】
［数値実施例４］
図１０〜図１２と表１０〜表１２は、数値実施例４による撮影レンズ系（単焦点レンズ系）を示している。図１０は無限遠物体合焦時のレンズ構成図、図１１はその諸収差図、図１２はその横収差図である。表１０は面データ、表１１は非球面データ、表１２は各種データである。
【００５９】
数値実施例４の撮影レンズ系のレンズ構成は、以下の点を除いて、数値実施例３の撮影レンズ系のレンズ構成と同様である。
（Ａ）第１レンズ群Ｇ１の正レンズ１２が、物体側に凸の正メニスカスレンズから構成されている。
【００６０】
（表１０）
面データ
面番号             r             d             N(d)             ν(d)
1             -188.447         3.00          1.58144            40.7
2              118.858         1.00
3               97.721        10.75          1.43875            95.0
4             1352.241         3.48
5              193.762         5.04          1.91082            35.2
6              594.289         0.50
7              104.334         8.43          1.43875            95.0
8            -1852.971        21.44
9               46.207         6.77          1.88300            40.8
10              92.373         0.30
11              37.808        10.95          1.43875            95.0
12             218.126         0.93
13             236.963         2.50          1.67300            38.3
14              22.785         8.94
15絞          INFINITY         4.89
16             -41.945         1.30          1.67300            38.3
17              28.925         8.76          1.89190            37.1
18             -74.873         1.47
19             -48.118         1.30          1.73800            32.3
20              34.028         8.24          1.83481            42.7
21             -63.739         0.25
22*            211.200         3.59          1.72903            54.0
23*           -156.194        37.97
24            INFINITY         2.00          1.51633            64.1
25            INFINITY           -
＊は回転対称非球面である。
（表１１）
非球面データ
面番号  K        A4           A6             A8           A10           A12
22  0.000  -0.1010E-05  -0.7022E-08     0.7043E-11   -0.5523E-14   -0.4109E-17
23  0.000   0.1762E-05  -0.6400E-08     0.1058E-10   -0.6034E-14    0.0000E+00
（表１２）
各種データ
FNO.        1.46
f          82.48
W           14.7
Y          21.64
fB          0.50
L         154.29
【００６１】
［数値実施例５］
図１３〜図１５と表１３〜表１５は、数値実施例５による撮影レンズ系（単焦点レンズ系）を示している。図１３は無限遠物体合焦時のレンズ構成図、図１４はその諸収差図、図１５はその横収差図である。表１３は面データ、表１４は非球面データ、表１５は各種データである。
【００６２】
数値実施例５の撮影レンズ系のレンズ構成は、以下の点を除いて、数値実施例４の撮影レンズ系のレンズ構成と同様である。
（Ａ）第１レンズ群Ｇ１の正レンズ１４が、物体側に凸の正メニスカスレンズから構成されている。
【００６３】
（表１３）
面データ
面番号             r             d             N(d)             ν(d)
1             -197.073         3.00         1.60342             38.0
2              122.435         1.00
3               99.047        10.18         1.49700             81.6
4             1864.707         3.57
5              204.358         5.04         1.90366             31.3
6              545.192         0.79
7              109.638         7.76         1.49700             81.6
8             2171.489        21.35
9               46.114         6.79         1.88300             40.8
10              93.856         0.30
11              37.318        10.61         1.43875             95.0
12             226.504         0.83
13             243.524         2.50         1.67300             38.3
14              22.574         9.11
15絞          INFINITY         4.90
16             -41.781         1.30         1.67300             38.3
17              29.037         8.96         1.89190             37.1
18             -74.538         1.47
19             -47.938         1.30         1.73800             32.3
20              34.791         8.40         1.83481             42.7
21             -63.765         0.25
22*            208.307         3.62         1.69680             55.5
23*           -138.388        37.97
24            INFINITY         2.00         1.51633             64.1
25            INFINITY           -
＊は回転対称非球面である。
（表１４）
非球面データ
面番号  K        A4           A6             A8           A10           A12
22  0.000  -0.1010E-05  -0.7022E-08    0.7043E-11    -0.5523E-14   -0.4109E-17
23  0.000   0.1762E-05  -0.6400E-08    0.1058E-10    -0.6034E-14    0.0000E+00
（表１５）
各種データ
FNO.        1.46
f          82.46
W           14.7
Y          21.64
fB          0.50
L         153.50
【００６４】
［数値実施例６］
図１６〜図１８と表１６〜表１８は、数値実施例６による撮影レンズ系（単焦点レンズ系）を示している。図１６は無限遠物体合焦時のレンズ構成図、図１７はその諸収差図、図１８はその横収差図である。表１６は面データ、表１７は非球面データ、表１８は各種データである。
【００６５】
数値実施例６の撮影レンズ系のレンズ構成は、数値実施例３の撮影レンズ系のレンズ構成と同様である。
【００６６】
（表１６）
面データ
面番号             r             d             N(d)             ν(d)
1             -184.081         3.00         1.53172             48.9
2              104.088         1.00
3               89.756        12.00         1.43875             95.0
4            -1724.425         1.27
5              221.435         6.50         1.80420             46.5
6              538.326         0.50
7              100.834         8.73         1.43875             95.0
8            -2765.032        22.45
9               46.774         6.38         1.88300             40.8
10              87.489         2.88
11              37.043         9.09         1.49700             81.6
12             163.588         1.08
13             191.570         2.50         1.67300             38.3
14              22.779         8.91
15絞          INFINITY         4.81
16             -42.372         1.30         1.67300             38.3
17              29.449         9.45         1.90043             37.4
18             -76.395         1.45
19             -48.726         1.30         1.73800             32.3
20              35.168         8.08         1.83481             42.7
21             -63.837         0.25
22*            222.558         3.27         1.77250             49.5
23*           -177.978        37.97
24            INFINITY         2.00         1.51633             64.1
25            INFINITY           -
＊は回転対称非球面である。
（表１７）
非球面データ
面番号  K        A4           A6             A8           A10           A12
22  0.000  -0.6615E-06  -0.7014E-08    0.6562E-11    -0.3779E-14   -0.8162E-17
23  0.000   0.1789E-05  -0.6620E-08    0.1089E-10    -0.8436E-14    0.0000E+00
（表１８）
各種データ
FNO.        1.46
f          83.42
W           14.5
Y          21.64
fB          0.50
L         156.69
【００６７】
［数値実施例７］
図１９〜図２１と表１９〜表２１は、数値実施例７による撮影レンズ系（単焦点レンズ系）を示している。図１９は無限遠物体合焦時のレンズ構成図、図２０はその諸収差図、図２１はその横収差図である。表１９は面データ、表２０は非球面データ、表２１は各種データである。
【００６８】
数値実施例７の撮影レンズ系のレンズ構成は、以下の点を除いて、数値実施例５の撮影レンズ系のレンズ構成と同様である。
（Ａ）第１レンズ群Ｇ１の負レンズ１１が、物体側に凸の負メニスカスレンズから構成されている。
【００６９】
（表１９）
面データ
面番号             r             d             N(d)             ν(d)
1             2771.910         3.00          1.61340            44.3
2               77.550         1.06
3               71.072        11.59          1.43875            95.0
4              233.833         1.70
5              169.341         5.96          1.83481            42.7
6              504.067         1.56
7               75.757         7.72          1.43875            95.0
8              208.698        21.29
9               45.357         7.07          1.88300            40.8
10              91.220         1.57
11              36.235         9.13          1.43875            95.0
12             182.643         0.80
13             189.667         2.50          1.67300            38.3
14              22.507         8.89
15絞          INFINITY         4.90
16             -40.735         1.30          1.67300            38.3
17              27.931        11.61          1.90043            37.4
18             -67.789         1.30
19             -47.419         1.30          1.73800            32.3
20              32.679         8.18          1.83481            42.7
21             -66.970         0.25
22*            190.114         3.25          1.77250            49.5
23*           -202.190        37.97
24            INFINITY         2.00          1.51633            64.1
25            INFINITY           -
＊は回転対称非球面である。
（表２０）
非球面データ
面番号  K        A4           A6             A8           A10           A12
22  0.000  -0.2510E-05  -0.1181E-07     0.1073E-11   -0.2199E-13   -0.2692E-16
23  0.000   0.2395E-06  -0.1141E-07     0.9221E-11   -0.3610E-13    0.0000E+00
（表２１）
各種データ
FNO.        1.46
f          83.42
W           14.5
Y          21.64
fB          0.50
L         156.40
【００７０】
［数値実施例８］
図２２〜図２４と表２２〜表２４は、数値実施例８による撮影レンズ系（単焦点レンズ系）を示している。図２２は無限遠物体合焦時のレンズ構成図、図２３はその諸収差図、図２４はその横収差図である。表２２は面データ、表２３は非球面データ、表２４は各種データである。
【００７１】
数値実施例８の撮影レンズ系のレンズ構成は、以下の点を除いて、数値実施例１の撮影レンズ系のレンズ構成と同様である。
（Ａ）第１レンズ群Ｇ１の正レンズ１２が、両凸正レンズから構成されている。
【００７２】
（表２２）
面データ
面番号             r             d             N(d)             ν(d)
1             -139.880         3.00         1.61340             44.3
2              112.158         1.58
3              116.552         7.98         1.43875             95.0
4            -8383.964         0.61
5              223.014         5.02         1.91082             35.2
6             1115.178         0.50
7               97.484        10.53         1.43875             95.0
8             -278.224        24.35
9               50.692         8.37         1.87070             40.7
10             111.676         0.30
11              35.422        11.49         1.43875             95.0
12             218.664         1.10
13             255.875         2.21         1.67300             38.3
14              22.738         8.94
15絞          INFINITY         5.75
16             -37.151         1.30         1.64769             33.8
17              29.471        13.10         1.87070             40.7
18             -48.561         2.00         1.59270             35.3
19            -141.966         0.25
20*            272.103         3.91         1.76450             49.1
21*            -88.917        37.97
22            INFINITY         2.00         1.51633             64.1
23            INFINITY           -
＊は回転対称非球面である。
（表２３）
非球面データ
面番号  K        A4           A6             A8           A10           A12
20  0.000  -0.1040E-05  -0.4528E-08     0.5251E-12    0.7851E-14   -0.1355E-16
21  0.000   0.1380E-05  -0.4736E-08     0.6780E-11    0.9913E-15    0.0000E+00
（表２４）
各種データ
FNO.        1.47
f          83.33
W           14.5
Y          21.64
fB          0.50
L         152.77
【００７３】
［数値実施例９］
図２５〜図２７と表２５〜表２７は、数値実施例９による撮影レンズ系（単焦点レンズ系）を示している。図２５は無限遠物体合焦時のレンズ構成図、図２６はその諸収差図、図２７はその横収差図である。表２５は面データ、表２６は非球面データ、表２７は各種データである。
【００７４】
数値実施例９の撮影レンズ系のレンズ構成は、数値実施例３の撮影レンズ系のレンズ構成と同様である。
【００７５】
（表２５）
面データ
面番号             r             d             N(d)             ν(d)
1             -147.132         3.00         1.61340             44.3
2              233.555         0.92
3              113.828        11.14         1.43875             95.0
4             -365.542         5.70
5              253.825         4.26         1.88300             40.8
6              576.783         0.50
7              135.660         7.47         1.43875             95.0
8             -930.489        21.00
9               46.110         7.20         1.87070             40.7
10              91.063         0.30
11              37.527        11.24         1.43875             95.0
12             209.981         0.93
13             235.883         2.50         1.67300             38.3
14              22.600         8.82
15絞          INFINITY         4.85
16             -41.129         1.30         1.67300             38.3
17              29.387         8.51         1.89190             37.1
18             -76.459         1.42
19             -49.199         1.30         1.73800             32.3
20              34.581         8.04         1.83481             42.7
21             -63.740         0.25
22*            210.278         3.53         1.69350             53.2
23*           -132.750        38.05
24            INFINITY         2.00         1.51633             64.1
25            INFINITY           -
＊は回転対称非球面である。
（表２６）
非球面データ
面番号  K        A4           A6             A8           A10           A12
22  0.000  -0.1010E-05  -0.7022E-08     0.7043E-11   -0.5523E-14   -0.4109E-17
23  0.000   0.1762E-05  -0.6400E-08     0.1058E-10   -0.6034E-14    0.0000E+00
（表２７）
各種データ
FNO.        1.46
f          83.42
W           14.6
Y          21.64
fB          0.50
L         154.75
【００７６】
［数値実施例１０］
図２８〜図３０と表２８〜表３０は、数値実施例１０による撮影レンズ系（単焦点レンズ系）を示している。図２８は無限遠物体合焦時のレンズ構成図、図２９はその諸収差図、図３０はその横収差図である。表２８は面データ、表２９は非球面データ、表３０は各種データである。
【００７７】
数値実施例１０の撮影レンズ系のレンズ構成は、以下の点を除いて、数値実施例４の撮影レンズ系のレンズ構成と同様である。
（Ａ）第１レンズ群Ｇ１の正レンズ１３が、両凸正レンズから構成されている。
【００７８】
（表２８）
面データ
面番号             r             d             N(d)             ν(d)
1             -166.238         3.00         1.51742             52.4
2              159.560         0.80
3              116.386         7.84         1.43875             95.0
4              669.523         8.39
5              248.804         6.00         1.49700             81.6
6            -4044.405         0.50
7               96.577         8.97         1.43875             95.0
8            -2303.647        24.01
9               50.992         6.40         1.87070             40.7
10             104.951         0.30
11              33.667        11.40         1.43875             95.0
12             160.210         1.44
13             159.314         2.00         1.67300             38.2
14              22.145         9.17
15絞          INFINITY         4.88
16             -41.308         1.30         1.67300             38.2
17              29.149         8.95         1.89190             37.1
18             -65.075         1.58
19             -42.277         1.30         1.73800             32.3
20              37.625         8.12         1.83481             42.7
21             -54.553         0.25
22*            304.201         3.09         1.74320             49.3
23*           -192.349        37.97
24            INFINITY         2.00         1.51633             64.1
25            INFINITY           -
＊は回転対称非球面である。
（表２９）
非球面データ
面番号  K        A4           A6             A8           A10           A12
22  0.000  -0.9606E-06  -0.5537E-08     0.4655E-11    0.5584E-14    0.0000E+00
23  0.000   0.1495E-05  -0.5883E-08     0.1234E-10    0.4457E-15    0.0000E+00
（表３０）
各種データ
FNO.        1.46
f          83.33
W           14.6
Y          21.64
fB          0.50
L         160.17
【００７９】
［数値実施例１１］
図３１〜図３３と表３１〜表３３は、数値実施例１１による撮影レンズ系（単焦点レンズ系）を示している。図３１は無限遠物体合焦時のレンズ構成図、図３２はその諸収差図、図３３はその横収差図である。表３１は面データ、表３２は非球面データ、表３３は各種データである。
【００８０】
数値実施例１１の撮影レンズ系のレンズ構成は、以下の点を除いて、数値実施例１の撮影レンズ系のレンズ構成と同様である。
（Ａ）第１レンズ群Ｇ１が、物体側から順に、両凹負レンズ１１’と、両凸正レンズ１２’と、両凹負レンズ１３’と、両凸正レンズ１４’と、両凸正レンズ１５’とから構成されている。両凹負レンズ１３’と両凸正レンズ１４’は、接合されている。
【００８１】
（表３１）
面データ
面番号             r             d             N(d)             ν(d)
1             -108.304         2.70          1.61340            44.3
2              103.832         0.95
3              104.469        11.50          1.89190            37.1
4             -320.780         2.70
5             -190.064         2.00          1.61340            44.3
6              106.668        11.99          1.43875            95.0
7             -146.964         0.50
8              102.493         9.60          1.43875            95.0
9             -272.102        21.90
10              52.311         6.03          1.87070            40.7
11             100.068         0.98
12              31.768        10.68          1.43875            95.0
13             124.059         1.31
14             111.227         2.00          1.65412            39.7
15              22.490         9.45
16絞          INFINITY         6.20
17             -35.054         1.60          1.64769            33.8
18              40.846        11.57          1.87070            40.7
19             -39.317         1.60          1.59270            35.3
20             -87.219         1.47
21*           1412.475         3.41          1.76450            49.1
22*           -102.648        37.87
23            INFINITY         2.00          1.51633            64.1
24            INFINITY           -
＊は回転対称非球面である。
（表３２）
非球面データ
面番号  K        A4           A6             A8           A10           A12
21  0.000  -0.3453E-06   0.5443E-09    -0.1265E-10    0.0000E+00    0.0000E+00
22  0.000   0.1248E-05  -0.2408E-08    -0.6832E-12   -0.1549E-13    0.0000E+00
（表３３）
各種データ
FNO.        1.45
f          82.88
W           14.6
Y          21.64
fB          0.50
L         160.53
【００８２】
各数値実施例の各条件式に対する値を表３４に示す。
［表３４］
実施例１       実施例２       実施例３
条件式（１）       -1.24          -1.25          -1.45
条件式（２）        2.14           2.22           2.14
条件式（３）       -0.14          -0.17          -0.21
条件式（４）        0.41           0.40           0.40
条件式（５）        1.06           1.06           0.82
条件式（６）        1.31           1.36           1.31
条件式（７）       1.818          1.806          1.807
条件式（８）        0.17           0.15           0.14
実施例４       実施例５       実施例６       実施例７
条件式（１）       -1.51          -1.51          -1.49          -1.56
条件式（２）        2.33           2.14           2.04           2.14
条件式（３）       -0.23          -0.23          -0.28          -1.06
条件式（４）        0.40           0.39           0.39           0.34
条件式（５）        0.82           0.81           0.86           0.92
条件式（６）        1.33           1.27           1.25           1.28
条件式（７）       1.819          1.808          1.836          1.836
条件式（８）        0.14           0.14           0.14           0.14
実施例８       実施例９       実施例１０     実施例１１
条件式（１）       -1.21          -1.76            -1.88        -1.04
条件式（２）        2.14           2.14             1.81         2.14
条件式（３）       -0.11           0.23            -0.02        -0.02
条件式（４）        0.40           0.41             0.39         0.49
条件式（５）        1.04           0.49             0.73         1.01
条件式（６）        1.33           1.31             1.04         1.31
条件式（７）       1.818          1.807            1.823        1.818
条件式（８）        0.16           0.14             0.15         0.14
【００８３】
表３４から明らかなように、数値実施例１〜１１は、少なくとも条件式（１）、（２）を満足しており、諸収差図及び横収差図から明らかなように、諸収差及び横収差は比較的よく補正されている。
【００８４】
本発明の特許請求の範囲に含まれる撮影レンズ系に、実質的なパワーを有さないレンズまたはレンズ群を追加したとしても、本発明の技術的範囲に含まれる（本発明の技術的範囲を回避したことにはならない）。
【符号の説明】
【００８５】
Ｇ１  正の屈折力の第１レンズ群
１１  負レンズ
１２  正レンズ
１３  正レンズ
１４  正レンズ
１１’  負レンズ
１２’  正レンズ
１３’  負レンズ
１４’  正レンズ
１５’  正レンズ
Ｇ２  正の屈折力の第２レンズ群
Ｇ２ａ  正の屈折力の第２ａレンズ群
２１  正レンズ
２２  正レンズ
２３  負レンズ
Ｇ２ｂ  正の屈折力の第２ｂレンズ群
２４  負レンズ
２５  正レンズ
２６  負レンズ
２７  正レンズ
２４’  負レンズ
２５’  正レンズ
２６’  負レンズ
２７’  正レンズ
２８’  正レンズ
Ｓ  開口絞り
ＣＧ  カバーガラス
Ｉ  像面
【図１】
2020154060.tif 000003
【図２】
2020154060.tif 000004
【図３】
2020154060.tif 000005
【図４】
2020154060.tif 000006
【図５】
2020154060.tif 000007
【図６】
2020154060.tif 000008
【図７】
2020154060.tif 000009
【図８】
2020154060.tif 000010
【図９】
2020154060.tif 000011
【図１０】
2020154060.tif 000012
【図１１】
2020154060.tif 000013
【図１２】
2020154060.tif 000014
【図１３】
2020154060.tif 000015
【図１４】
2020154060.tif 000016
【図１５】
2020154060.tif 000017
【図１６】
2020154060.tif 000018
【図１７】
2020154060.tif 000019
【図１８】
2020154060.tif 000020
【図１９】
2020154060.tif 000021
【図２０】
2020154060.tif 000022
【図２１】
2020154060.tif 000023
【図２２】
2020154060.tif 000024
【図２３】
2020154060.tif 000025
【図２４】
2020154060.tif 000026
【図２５】
2020154060.tif 000027
【図２６】
2020154060.tif 000028
【図２７】
2020154060.tif 000029
【図２８】
2020154060.tif 000030
【図２９】
2020154060.tif 000031
【図３０】
2020154060.tif 000032
【図３１】
2020154060.tif 000033
【図３２】
2020154060.tif 000034
【図３３】
2020154060.tif 000035